(57)【要約】解体及び建築機械用チップは、取替え可能な挿入部を受けるための少なくとも一方の収納部（１３２，１８２）を有する別個の基部（１１４）を備える。挿入部（１５０）は、基部（１１４）の中のはめ合いソケット（１６６）の中にはめ込む突起（１６８）を備える。ネジボルト（１７２）は、挿入部（１５０）及び基部（１１４）の中の穴（１７０）を貫通して延びており、挿入部（１５０）を基部（１１４）に固定する。チップ（１００）は、ボルト（１７２）によりそれぞれの収納部の中に固定されるもう一方の第二挿入部（１８４）も含む。
2007533449.tif 000002
【特許請求の範囲】
【請求項１】
解体及び建築機械用チップにおいて、
ａ）
１）上部と下部とそれらの間の壁と、
２）支持体に固定されるよう形成された基部の上部の取り付け面と、
３）基部の下部の最下部に位置する刃先を有する中心部と、
４）基部の少なくとも１つの壁まで達し、収納部下部と内壁と収納部輪郭とを有する収納部と
を備える別個の基部と、
ｂ）
１）上部と下部とそれらの間の壁と、
２）挿入部の下部の最下部に設けられ、一般的に基部の刃先と一列に並べられる刃先と、
３）収納部輪郭と一般的に一致する外形と
を備える挿入部とからなり、
ｃ）挿入部は、各々の収納部の中に固定される
ことを特徴とする解体及び建築機械用チップ。
【請求項２】
挿入部の刃先は、基部の刃先とほぼ一列に並べられる請求項１記載のチップ。
【請求項３】
挿入部の上部は、収納部の下部に接しながら配置される請求項１記載のチップ。
【請求項４】
収納部輪郭は三角形の輪郭であり、チップは対応した三角形の外形を備えることを特徴とする請求項１記載のチップ。
【請求項５】
挿入部の外形は対称であり、基部の刃先と一般的に一列に並ぶ挿入部の刃先を配置するための挿入部が収納部の内部の工具であるので、各壁同士の交わるところでさらに刃先を備えることを特徴とする請求項１記載のチップ。
【請求項６】
基部は、その内壁まで延びるソケットをさらに含み、挿入部は、一方の壁から突出する突起をさらに含み、該突起は、基部内部の挿入部を支持するためにソケットの中にはまり込むことを特徴とする請求項１記載のチップ。
【請求項７】
ソケットと突起とは、はめ合い形状であり、挿入部が収納部の中に配置された際にソケットと突起との間で相対回転がないように非円形であることを特徴とする請求項６記載のチップ。
【請求項８】
挿入部の壁と少なくとも１つの基部の壁とを通り抜ける孔をさらに含み、孔を貫通して基部の収納部の中に挿入部を固定する留め具をさらに含むことを特徴とする請求項１記載のチップ。
【請求項９】
留め具は、ボルト頭とネジシャフトとを有するネジボルトであり、挿入部の孔は、ボルト頭を受ける皿孔であり、そして基部の孔は、ネジシャフトを受けるネジ部であることを特徴とする請求項８記載のチップ。
【請求項１０】
基部の各々の壁の内部に各々の収納部の中に配置される挿入部を有する収納部があることを特徴とする請求項８記載のチップ。
【請求項１１】
留め具は、ボルト頭とネジシャフトとを有するネジボルトであり、一方の挿入部の孔は、ボルト頭を受けるための皿穴であり、他方の挿入部の孔は、ネジシャフトを受けるネジ部であることを特徴とする請求項１０記載のチップ。
【請求項１２】
留め具はナット／ボルト結合であり、ボルト頭は一方の挿入部の中の皿孔にあり、ナットは、平らな外面を提供するために他方の挿入部の中の皿孔にあることを特徴とする請求項１０記載のチップ。
【請求項１３】
解体及び建築機械用チップに用いられる挿入部において、チップは、上部と下部とそれらの間の壁とを有する別個の基部と、支持体に固定されるよう形成された基部の上部の取り付け面と、基部の下部の最下部に設けられた刃先を有する中心部と、基部の少なくとも一方の面まで延びる収納部とを備え、該収納部は、少なくとも収納部上壁と内面と収納部輪郭とを備え、該挿入部は、
ａ）上部と下部とそれらの間の壁と、
ｂ）２つの壁の交わるところに配置される刃先と、
ｃ）収納部の輪郭と一致する形状と
を備える形態からなることを特徴とする解体及び建築機械用チップに用いられる挿入部。
【請求項１４】
挿入部が基部の中に配置される際に、側面支持体を提供するために適した突起をさらに含むことを特徴とする請求項１３記載の挿入部。
【請求項１５】
突起が三角形状であることを特徴とする請求項１３記載の挿入部。
【請求項１６】
支持体を備え、支持体にチップを固定された解体及び建築機械において、
ａ）
１）上部と下部とそれらの間の壁と、
２）支持体に固定されるよう形成された基部の上部の取り付け面と、
３）基部の下部の最下部に設けられた刃先を有する中心部と、
４）基部の少なくとも１つの壁まで達し、収納部下部と内壁と収納部輪郭とを有する収納部と
を備える別個の基部と、
ｂ）
１）上部と下部とそれらの間の壁と、
２）挿入部の下部の最下部に設けられ、一般的に基部の刃先と一列に並べられる刃先と、
３）収納部輪郭と一般的に一致する外形と
を備える挿入部とからなり、
ｃ）挿入部は、各々の収納部の中に固定される
ことを特徴とする解体及び建築機械。
【請求項１７】
上部と下部とそれらの間の壁とを有する別個の基部と、支持体に固定されるよう形成された基部の上部の取り付け面と、基部の下部の最下部に設けられた刃先を有する中心部と、基部の２つの対向する壁まで延び収納部とを備え、その各々の収納部が収納部上部と内面と収納部輪郭とを備える解体及び建築機械用チップの挿入部を固定する方法において、該方法は、
ａ）挿入部と各々の収納部で基部の壁とを通り抜ける孔を提供し、
ｂ）各々の収納部の中に挿入部を配置し、
ｃ）それらを貫通する留め具を挿入し、
ｄ）収納部の中の各々の挿入部に対して留め具を固定する
ステップからなることを特徴とする解体及び建築機械用チップの中の挿入部を固定する方法。
【発明の詳細な説明】
【技術分野及び発明が解決しようとする課題】
【０００１】
本発明は、支持体の取り付けに適しており、頑丈な金属切断用カッター、厚板カッター、コンクリート粉砕機、グラップル、或いは他の建築又は解体機械に連結して使用されるチップに関し、特に、支持体に固定された取替え可能なチップに関する。
【背景技術】
【０００２】
本明細書での検討の目的のために、解体及び建築機械は、スクラップ処理装置とも称される。本明細書での解体機械及び建設機械という記述は、参照される機械に限定することを意図するものではない。頑丈な金属切断カッター、グラップル、及びコンクリート粉砕機などの解体機械は、解体の分野でのさまざまな作業のために油圧シリンダで駆動されるバックホーに取り付けられる。この装置は、スクラップの効率的な切断及び処理を提供する。例えば、工業用建物の解体において、さまざまな直径のパイプ、構造的Ｉ形梁、チャネル、アングル、及び薄型プレートなどの形態の金属スクラップは、頑丈な金属カッターにより効率的に切断され処理されなければならない。そのようなカッターは、自動車、トラックフレーム、鉄道車両などを減量するためにも利用されうる。該カッターは、個々のスクラップ片の大きさ又は形状に関わらず、そしてカッターにどんな顕著な損傷もなく金属スクラップ片を移動及び切断可能でなければならない。工業用建物の解体において、コンクリート粉砕機又はコンクリート破砕機などのコンクリート破壊機は、現場から容易に処理され取り除くことが可能なように処理しやすい要素に構造体を減量するためにも利用される。木材用カッター及び厚板カッターは、スクラップの形態次第で特に解体又はがれき除去の場面で役立つ特定の切断装置に相当する。また、がれき又は加工物の処理が機械の主な役目である場合、グラップルがしばしば利用される。従来、機械のこれらの種類全ては、顕著な独立資本費用を有する別個のツールにあたる。結果として、解体産業は、可能な限りこれらアプリケーションの多くを利用することができる一種類の工具を開発する傾向にあった。
【０００３】
例示を目的として、以下の記述は金属カッターを示す。あるタイプの金属カッターは、固定刃とそこで回転する可動刃とを有するカッターである。可動刃は、加工物を切断するためにせん断作用を両刃に与えるための油圧シリンダにより回転される。このタイプのカッターの例としては、米国特許第4,403,431号明細書; 米国特許第4,670,983号明細書; 米国特許第4,897,921号明細書; 米国特許第5,926,958号明細書;および米国特許第5,940,971号明細書があり、それらは本願の出願人に譲渡され、参照することによりそれら全体に組み込まれる。
【０００４】
図１は、バックホー（図示しない）などの解体又は建設機械に取り付けるために適した複合ツールアタッチメントの従来技術を示す。複合ツールアタッチメントは、一連のツール又はツールユニットのひとつを解体機械に連結するために適する。図１で連結されたツールは金属カッター１０である。該カッター１０は、上顎１３と連結された第一刃１２と下顎１５と連結された第二刃１４とを含み、顎１３、１５は、ハブ又は主ピン１６で本体１８に枢動可能に接続される。本体１８は、アタッチメントシステムにおいて一連のツール又はツールユニットに共通するので一般的なものと見なされる。本体１８は、側面１９、ベアリングハウジング２０、及びヨーク２１とからなる。
【０００５】
上顎１３及び下顎１５は、可動顎アセンブリ２２を形成するために主ピン１６に支持して枢動する。第一刃１２の先端は刃先２４がある。刃先２４の詳細は、図３及び図４に示され、刃先２４が上部２８と下部３０とそれらの間の壁３２，３４とを有する基部２６からなる。刃先２４の基部２６は完全な固定片であり、基部２６の上部２６は上顎１３と関連する支持体３６に固定される。
【０００６】
図１及び図２が示すこととして、第二刃１４は、刃先２４及び第一刃１２に側壁保持として役立ち提供するガイドチャネル１２とそれを関連したものである。第一刃１２及び刃先２４による荷重を受けてたわみを最小化するために、ガイドチャネル３８の公差は極めて低い。
【０００７】
多くの用途で、第一刃１２と支持体３６とは、一旦ガイドチャネル３８を挿入すると、通常稼動の元で刃先２４の側面が摩擦及び相当の摩耗を受けるのでガイドチャンネル３８に対して横方向にずらされることとなる。正しく保持されなければ、この摩耗は、第一刃１２がガイドチャネル３８に引っかかり固まる原因となる。この状況は業界において「スティッカー（ｓｔｉｃｋｅｒｓ）」として知られている。せん断の時に第一刃１２のチップ２４の壁３２，３４と下刃１４のガイドチャネル３８の壁４０，４２との間の隙間がそれらの両面に物質が挟まれるくらい広すぎる際にスティッカーは起こりうる。一旦、第一刃１２がガイドチャネル３８の中に挟まれると、カッター１０は、修理のために頻繁に停止しなければならない。これらの隙間を最小限に留めるために溶接によりチップ２４の壁３２，３４を補強する必要がある。この工程は、多くの時間とコストを費やし、カッターが加工する材料によっては、補強しているチップは週に１回は修理されることとなる。
【０００８】
従って、チップ設計は、摩耗した際にカッター又は他の機械の停止時間を最小化するために簡単に修理又は交換できるように設計される。
【発明の開示】
【課題を解決するための手段】
【０００９】
本発明の一実施形態は、上部と下部とそれらの間の壁とを有する解体及び建築機械用のカッターを対象とする。基部は、支持体に固定されるよう形成された基部の上部の取り付け面を備える。さらに基部は、基部の下部の最下部に位置する刃先を有する中心部を備える。収納部は、基部の少なくとも一方の壁まで延び、収納部は、収納部上部と内壁と収納部輪郭とを備える。挿入部は、上部と下部とそれらの間の壁とを備え、挿入部の下部の最下部に位置して一般的に基部の刃先と一列に並べられる刃先を有する。挿入部は、収納部輪郭と一般的に一致する外形を備える。挿入部は、各々の収納部の中に固定される。
【００１０】
本発明の他の実施形態は、各々の基部の収納部の中に固定される挿入部を対象とする。
【００１１】
また、本発明の他の実施形態は、チップなどを利用する解体及び建設機械を対象とする。
【００１２】
また更に、本発明の他の実施形態は、各々の収納部で挿入部と基部の壁とを貫通する孔を備えて、各々の収納部の中に挿入部を配置して、そこへ留め具を挿入し、そして収納部の中の各々の挿入部に対して留め具を固定するステップからなる解体及び建設機械用チップの中の挿入部を固定するための方法を対象とする。
【発明を実施するための最良の形態】
【００１３】
以下の記述の説明のために、「上方の」、「下方の」、「右の」、「左の」、「垂直の」、「水平の」、「上の」、「下の」、及びそれらの派生語は、図面において方向付けられるとおりに本発明と関連する。しかしながら、本発明は、明確に正反対に特定される場合を除き、さまざまな代替の形態とステップシークエンスとを想定できるものと理解されるものである。また、添付された図面に表され、下記の記述で示された特定の機械及びプロセスは、本発明の単なる典型的な実施形態であることも理解されるものである。従って、ここに開示された特定の寸法及び物理的特性のみに制限されるものではない。
【００１４】
図５は、工業カッターに用いられる顎アセンブリ２２の上顎１３のような支持体１０５に固定された刃先１００を示す。当然のことながら、解体装置に関する工業用カッターの関連においてこのチップ１００は開示されるが、せん断、切断、破砕、クランチ、又はブレードチップの動作による他のどのタイプの素材を加工するものにもブレードチップ１００は使用される。
【００１５】
刃先１００は、例えば、カッターチップ、爪歯、粉砕歯、及び現在ある又は開発されることとなるありとあらゆる穴あけ／パンチ装置として利用される。このチップは、カッター、爪、グラップル、粉砕機、破砕機、鉄道破砕機、マルチ−ブレードカッター、木材カッター、リッパー歯、研削歯、カッター歯、及び磨耗にさらされる使い捨ての刃部を用いるどんな機械にも即時適用をもつ。
【００１６】
図６〜９に注目すると、チップ１００は、上部１１６と下部１１８とそれらの間の壁１２０，１２０とを有する別個の基部１１４からなる。基部１１４は、上部１１６に取り付け面１２４を有し、その取り付け面１２４は支持体１０５（図５）に固定されるように形成されている。基部１１４は、刃先１２８を有する中心部１２６を備え、その刃先１２８は、基部１１４の下部１１８の最下部１３０に位置する。収納部１３２は、基部１１４の少なくとも一方の壁１２０，１２２まで延びる。収納部１３２は、収納部上部１３４と収納部内壁１３６と収納部輪郭１３８（図８）とを有する。第二挿入部１８４は、第二収納部１８２の中に示され固定されることとなる。
【００１７】
挿入部１５０に注目すると、挿入部１５０は、上部１５２と下部１５４とそれらの間の壁１５６，１５８とを有する。刃先１６０は、挿入部１５０の下部１５４の最下部１６２に位置し、基部１１４の刃先１２８と一般的に一列に並べられる。
【００１８】
図８及び図９に注目すると、挿入部１５０の外形１６４は、収納部１３２の輪郭１３８と一般的に一致する。収納部輪郭１３８は、三角形であり、チップ１５０の外形１６４はこの形状と一致する。挿入部１５０は収納部１３２の中に固定される。図７に注目すると、挿入部１５０が収納部１３２に固定される際、挿入部１５０の刃先１６０は基部１１４の刃先１２８とほぼ一直線である。これは収納部１８２の中の挿入部１８４も同じである。
【００１９】
収納部１３２の中の挿入部１５０へ付加的な支持を与えるために、挿入部１５０の上部１５２は収納部１３２の上部１３４に接して配置される。
【００２０】
また、図６及び図７に注目すると、基部１１４は、収納部１３２の内壁１３６まで延びるソケット１６６を含む。挿入部１５０は、壁１５８から突出する突起１６８をさらに含み、その突起１６８は、収納部１３２の中の挿入部１５０を支持するためにソケット１６６の中にはまり込む。
【００２１】
図８及び図９に示されるように、ソケット１６６と突起１６８とは、はめ合い形状を備え、挿入部１５０が収納部１３２の中へはめ込まれる際にソケット１６６と突起１６８との間に相対的回転がないような非円形である。
【００２２】
図６及び図７に示すように、孔１７０は挿入部１５０と基部１１４と挿入部１８４とを貫通する。留め具１７２は、孔１７０を通り抜けそれぞれの収納部１３２，１８２の中の挿入部１５０，１８４を固定する。留め具１７２は、ボルト頭１７４とネジシャフト１７６とを有するネジボルトである。孔１７０は、ボルト頭１７０を受けるための挿入部１５０の中のざくり１７３を含み、さらに、基部１１４の中の孔１７０はネジシャフト１７６を受けるネジ部（図示しない）を備える。
【００２３】
１ヶ所の収納部１３２及び挿入部１５０が詳しく論じられているので、第二収納部１８２は基部１１４の反対側の壁１２２と関連し、挿入部１５０が収納部１３２の中に固定されるのと同じ形態で第二収納部１８４は収納部１８２の中に固定される。留め具１７２がボルト頭１７４とネジシャフト１７６とを備える際、挿入部１７８の孔１７０は、ボルト１７２のネジシャフト１７６を締結するためのナット１８６を受けるための皿孔１７８を備える。
【００２４】
別の方法では、ナット１８６を受ける孔の皿孔部を除く挿入部１８４の形状全てを有する挿入部１９０は、ボルト１７２のネジシャフト１７６を受けるネジ孔１８５をそれ自体が備え、従って、ナット１８６及びナット１８６に適合するための挿入部１８４の中の対応する皿孔部の必要性を軽減している。
【００２５】
図１１は、上部２１６と下部２１８とそれらの間の壁２２２，２２４を有する第三面２２０とを備える挿入部２００の斜視図を示す。挿入部２００の壁２２４から突出しているものは突起２２６であり、突起２２６と第一、第二、及び第三面２１６，２１８，２２０の輪郭とが対称となるように突起２２６は貫通する孔２２８のほぼ中心にある。結果として、挿入部２００を受ける基部１１４の明確な制限で、挿入部２００は、複数の刃先２３０，２３２，２３４が基部１１４の下部１１８の最下部１３０に配置される工具となり、そして１つの刃先が磨耗した際に第二刃先が露呈するので挿入部２００は交換されることとなる。
【００２６】
本発明は、挿入部１５０と各々の収納部１３２，１７６で基部１１４の壁１３６，１３７とを貫通する孔１７０を備えるステップからなる解体及び建築機会用チップ１００の中の挿入部を固定する方法も含む。各々の挿入部１５０，１７８は、それぞれの収納部１３２，１７６の中に配置される。留め具１７２は、孔１７０の中に挿入され、それらそれぞれの収納部１３２，１７６の中の各々の挿入部１５０，１７８に対してその際固定される。
【００２７】
ほとんどの状況においてチップ１００の唯一の整備は挿入部１５０，１８４の交換であることは明らかである。しかしながら、チップ１００は使い捨てと考えられるので、チップ全体１００を交換するために支持体１６から基部１１４を取り除くことが可能である。さらに、チップ１００が用いられる用途によっては、基部１１４の素材とチップ１００の素材は異なることとなる。
【００２８】
本発明に関するチップ１００によって、磨耗したチップはすばやくそして簡単に交換されるので、機械の保守時間と関連する費用とは顕著に軽減されることとなる。
【００２９】
本発明は、好ましい実施形態に関して説明されたものである。明らかな変更及び修正は上述した詳細な説明を読み理解することで他に考え付くだろう。本発明に対して様々な修正及び変更がなされることは明白であろう。
【図面の簡単な説明】
【００３０】
【図１】建設用工具システムの一般的形態に組み込まれる金属カッターを示す従来技術の側面図である。
【図２】図１におけるカッターの従来技術の平面図である。
【図３】刃先の従来技術の正面図である。
【図４】図３に示された刃先の従来技術の側面図である。
【図５】図１の破線で囲まれた拡大部分であるが、本発明に関する刃先の概観である。
【図６】図５で示されたチップの分解組み立て斜視図である。
【図７】一方の挿入部がナットを受け入れるための収納部を有する刃先の分解組み立て断面図である。
【図８】刃先と関連する基部の側面図である。
【図９】刃先と関連する挿入部の外形である。
【図１０】ボルトを受け入れるための内部にねじ穴を有する１つの挿入部の側面図である。
【図１１】本発明に関する工具である挿入部の１つの実施形態の斜視図である。
【符号の説明】
【００３１】
１００・・・チップ、１０５・・・支持体、１１４・・・基部、１１６・・・上部、１１８・・・下部、１２０、１２２・・・壁、１３２・・・収納部、１５０・・・挿入部、１５２・・・上部、１５４・・・下部、１５６，１５８・・・壁、１６０・・・刃先、１６６・・・ソケット、１６８・・・突起、１７０・・・孔、１７２・・・留め具
【図１】
2007533449.tif 000003
【図２】
2007533449.tif 000004
【図３】
2007533449.tif 000005
【図４】
2007533449.tif 000006
【図５】
2007533449.tif 000007
【図６】
2007533449.tif 000008
【図７】
2007533449.tif 000009
【図８】
2007533449.tif 000010
【図９】
2007533449.tif 000011
【図１０】
2007533449.tif 000012
【図１１】
2007533449.tif 000013
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
解体及び建築機械用チップ（１００）において、
ａ）
１）上部（１１６）と下部（１１８）とそれらの間の壁（１２０，１２２）と、
２）支持体（１０５）に固定されるよう形成された基部（１１４）の上部（１１６）の取り付け面（１２４）と、
３）基部（１１４）の下部（１１８）の最下部（１３０）に位置する刃先（１２８）を有する中心部（１２６）と、
４）基部（１１４）の少なくとも１つの壁（１２０）まで達し、収納部下部（１３４）と内壁（１３６）と収納部輪郭（１３８）とを有する収納部（１３２）と
を備える別個の基部（１１４）と、
ｂ）
１）上部（１５２）と下部（１５４）とそれらの間の壁（１５６，１５８）と、
２）挿入部（１５０）の下部（１５４）の最下部（１６２）に設けられ、実質的に基部（１１４）の刃先（１２８）と一列に並べられる刃先（１６０）と、
３）収納部輪郭（１３２）と実質的に一致する外形（１６２）と
を備える挿入部（１５０）とからなり、
ｃ）挿入部（１５０）は、各々の収納部（１３２）の中に固定され、
ｄ）基部（１１４）は、収納部（１３２）の内壁（１３６）まで延びるソケット（１６６）をさらに含み、挿入部（１５０）は、挿入部（１５０）と一体であり一方の挿入部壁（１５８）から突出する突起（１６８）をさらに含み、そして該突起は、基部（１１４）の中の挿入部（１５０）を固定するためにソケット（１６６）の中にはめ込まれる
ことを特徴とする解体及び建築機械用チップ（１００）。
【請求項２】
挿入部（１５０）の上部（１５２）は、収納部（１３２）の下部（１３４）に接しながら配置される請求項１記載のチップ（１００）。
【請求項３】
収納部輪郭（１３８）は三角形の輪郭であり、チップ（１００）は対応した三角形の外形を備えることを特徴とする請求項１記載のチップ（１００）。
【請求項４】
挿入部（２００）の外形（１６４）は対称であり、基部（１１４）の刃先（１２８）と一般的に一列に並ぶ挿入部（２００）の刃先（２０３，２３２，２３４）を配置するための挿入部（２００）が収納部（１３２）の内部の工具であるので、各壁（２２２，２２４）同士の交わるところでさらに刃先（２０３，２３２，２３４）を備えることを特徴とする請求項１記載のチップ（１００）。
【請求項５】
ソケット（１６６）と突起（１６８）とは、はめ合い形状であり、挿入部（１００）が収納部（１３２）の中に配置された際にソケット（１６６）と突起（１６８）との間で相対回転がないように非円形であることを特徴とする請求項１記載のチップ（１００）。
【請求項６】
挿入部の壁（１５６，１５８）と少なくとも１つの基部の壁（１３６）とを通り抜ける孔（１７０）をさらに含み、孔（１７０）を貫通して基部（１１４）の収納部（１３２）の中に挿入部（１５０）を固定する留め具（１７２）をさらに含むことを特徴とする請求項１記載のチップ（１００）。
【請求項７】
留め具（１７２）は、ボルト頭（１７４）とネジシャフト（１７６）とを有するネジボルトであり、挿入部（１５０）の孔（１７３）は、ボルト頭（１７４）を受ける皿孔であり、そして基部（１１４）の孔（１８５）は、ネジシャフト（１７６）を受けるネジ部であることを特徴とする請求項６記載のチップ（１００）。
【請求項８】
基部（１１４）の各々の壁（１３６，１３７）の内部に各々の収納部（１３２，１８２）の中に配置される挿入部（１５０，１８４）を有する収納部（１３２，１８２）があることを特徴とする請求項６記載のチップ（１００）。
【請求項９】
留め具（１７２）は、ボルト頭（１７４）とネジシャフト（１７６）とを有するネジボルトであり、一方の挿入部（１５０）の孔（１７３）は、ボルト頭（１７４）を受けるための皿穴であり、他方の挿入部（１９０）の孔（１８５）は、ネジシャフト（１７６）を受けるネジ部であることを特徴とする請求項８記載のチップ（１００）。
【請求項１０】
留め具（１７２）はナット／ボルト結合であり、ボルト頭（１７４）は一方の挿入部（１５０）の中の皿孔にあり、ナット（１８６）は、平らな外面を提供するために他方の挿入部（１８４）の中の皿孔にあることを特徴とする請求項８記載のチップ（１００）。
【請求項１１】
解体及び建築機械用チップ（１００）に用いられる挿入部（１５０）において、チップ（１００）は、上部（１１６）と下部（１１８）とそれらの間の壁（１２０，１２２）とを有する別個の基部（１１４）と、支持体（１０５）に固定されるよう形成された基部（１１４）の上部（１１６）の取り付け面（１２４）と、基部（１１４）の下部（１１８）の最下部（１３０）に設けられた刃先（１２８）を有する中心部（１２６）と、基部（１１４）の少なくとも一方の壁（１２０）まで延びる収納部（１３２）とを備え、該収納部（１３２）は、少なくとも収納部上部（１３４）とソケット（１６６）を中に備える内面（１３６）と収納部輪郭とを備え、該挿入部（１５０）は、
ａ）上部（１５２）と下部（１５４）とそれらの間の壁（１５６，１５８）と一方の壁（１５８）から軸方向に沿って突出し基部ソケット（１６６）とはめ合うよう形成された突起、
ｂ）実質的に軸方向に並行であり、２つの壁の交わるところに配置される刃先（１６０）と、
ｃ）収納部輪郭（１３８）と一致する形状と
を備える形態からなることを特徴とする解体及び建築機械用チップ（１００）に用いられる挿入部（１５０）。
【請求項１２】
突起（１６８）が非円形であることを特徴とする請求項１１記載の挿入部。
【請求項１３】
突起が三角形状であることを特徴とする請求項１２記載の挿入部。
【請求項１４】
支持体（１３６）を備え、支持体（１３６）にチップ（１００）を固定された解体及び建築機械において、
ａ）
１）上部（１１６）と下部（１１８）とそれらの間の壁（１２０，１２２）と、
２）支持体（１０５）に固定されるよう形成された基部（１１４）の上部（１１６）の取り付け面（１２４）と、
３）基部（１１４）の下部（１１８）の最下部（１３２）に設けられた刃先（１２８）を有する中心部（１２６）と、
４）基部（１１４）の少なくとも１つの壁（１２０）まで達し、収納部下部（１３４）と内壁（１３６）と収納部輪郭（１３８）とを有する収納部（１３２）と
を備える別個の基部（１１４）と、
ｂ）
１）上部（１５２）と下部（１５４）とそれらの間の壁（１５６，１５８）と、
２）挿入部（１５０）の下部（１５４）の最下部（１６２）に設けられ、実質的に基部（２６）の刃先（１２８）と一列に並べられる刃先（１６０）と、
３）収納部輪郭（１３８）と実質的に一致する外形（１６４）と
を備える挿入部（１５０）とからなり、
ｃ）挿入部（１５０）は、各々の収納部（１３２）の中に固定され、
ｄ）基部（１１４）は、収納部（１３２）の内壁（１３６）の中まで延びるソケット（１６６）をさらに含み、挿入部（１５０）は、挿入部（１５０）と一体であり一方の挿入部壁（１５８）から突出している突起（１６８）をさらに含み、そして該突起（１６８）は、基部（１１４）の中の挿入部（１５０）を固定するためのソケット（１６６）の中にはめ込む
ことを特徴とする解体及び建築機械。
【請求項１５】
上部（１１６）と下部（１１８）とそれらの間の壁（１２０，１２２）とを有する別個の基部（１１４）と、支持体（１０５）に固定されるよう形成された基部（１１４）の上部（１１６）の取り付け面（１２４）と、基部（１１４）の下部（１１８）の最下部（１３０）に設けられた刃先（１２８）を有する中心部（１２６）と、基部（１１４）の２つの対向する壁（１２０，１２２）まで延び収納部（１３２）とを備え、その各々の収納部は、収納部上部（１３４）とソケットを中に形成している内壁（１３６）と収納部輪郭とを備え、挿入部は、上部（１５２）と下部（１５４）とその間の壁（１５６，１５８）と、挿入部（１５０）と一体であり一方の挿入部壁（１５８）から突出して収納部ソケット（１６６）の中にはまり込むよう形成された突起（１６８）とを備える解体及び建築機械用チップ（１００）の挿入部（１５０，１８４）を固定する方法において、該方法は、
ａ）挿入部（１５０）と各々の収納部（１３２，１８２）で基部（１１４）の壁（１３６，１３７）とを通り抜ける孔（１７０）を提供し、
ｂ）挿入部の突起（１６８）が収納部のソケット（１６６）の中にはまり込むために各々の収納部（１３２，１８２）の中に挿入部（１５０，１８４）を配置し、
ｃ）それらを貫通する留め具（１７２）を挿入し、
ｄ）各々の収納部（１３２，１８２）の中の各々の挿入部（１５０，１８４）に対して留め具（１７２）を固定する
ステップからなることを特徴とする解体及び建築機械用チップ（１００）の中の挿入部を固定する方法。
【請求項１６】
解体及び建築機械用チップ（１００）であって、
ａ）
１）上部（１１６）と下部（１１８）とそれらの間の壁（１２０，１２２）と、
２）支持体（１０５）を固定するよう形成された基部（１１４）の上部（１１６）の取り付け面（１２４）と、
３）基部（１１４）の下部（１１８）の最下部（１３０）に設けられた刃先（１２８）を有する中心部と、
４）基部（１１４）の各々の壁（１２０）の中に延び、その各々の収納部（１３２，１８２）が収納部上部（１３４）と内壁（１３６）と収納部輪郭（１３８）とを備える収納部（１３２）と
とを備える別個の基部（１１４）と、
ｂ）挿入部（１５０）が各々の収納部（１３２，１８２）の中に固定され、その各々の挿入部（１５０，１８４）は、
１）上部（１５２）と下部（１５４）とそれらの間の壁（１５６，１５８）と、
２）挿入部（１５０）の下部（１５４）の最下部（１６２）に設けられ基部（１１４）の刃先（１２８）と実質的に一列に並べられた刃先（１６０）と、
３）収納部輪郭（１３８）と実質的に一致する外形（１６４）と
を備え、
ｄ）基部（１１４）は、各々の収納部（１３２，１８２）の内壁（１３６）の中に延びるソケット（１６６）をさらに含み、各々の挿入部（１５０）は、挿入部（１５０）と一体であり一方の挿入部の壁（１５８）から突出している突起をさらに含み、各々の挿入部の突起（１６８）は、基部（１１４）の中の挿入部（１５０）を固定するための基部のソケット（１６６）の中にはまり込む
ことを特徴とする解体及び建築機械用チップ（１００）。
【国際調査報告】
2007533449.tif 000014
2007533449.tif 000015
2007533449.tif 000016